(57)【要約】【課題】この発明は、収容スペースに収容されたペットの躾けが適切に行われていることを、ケース本体の少なくとも正面から視認させて、訴求することができるペット用展示ケースの提供を目的とする。【解決手段】箱形状を有するケース本体２０の内部に、ペットの収容が許容される収容スペースＳを備えたペット用展示ケース１０であって、ケース本体２０の正面に配置した正面扉３０の居住側正面扉３１とトイレ側正面扉３２と、左右に配置した側板５０とを透明なガラスで構成している。収容スペースＳの内部に、該収容スペースＳを居住スペースＳ１とトイレスペースＳ２とに区分するとともに、居住スペースＳ１とトイレスペースＳ２とに対してペットの移動を許容する仕切りパネル２５を配置している。【選択図】図１
2014036743.tif 000002
【特許請求の範囲】
【請求項１】
箱形状を有するケース本体の内部に、ペットの収容が許容される収容スペースを備えたペット用展示ケースであって、
前記ケース本体の少なくとも正面を、前記収容スペースに収容されたペットの視認が許容される視認許容部材で構成し、
前記収容スペースに、
該収容スペースを複数の区分スペースに区分するとともに、該各区分スペースに対して前記ペットの移動を許容する仕切り部を備え、
前記各区分スペースのうち少なくとも１つの区分スペースに、前記ペットの排泄物を処理する排泄物処理手段を備えた
ペット用展示ケース。
【請求項２】
前記仕切り部を、
前記収容スペースの長手方向に直交する直交断面で切断した断面形状と対応する大きさ及び形状に形成した仕切り部材で構成し、
前記仕切り部材に、前記ペットの出入が許容される大きさに開口した開口部を備えた
請求項１に記載のペット用展示ケース。
【請求項３】
前記仕切り部材の上端部と対向する前記ケース本体内の上部に、該ケース本体の前後方向と平行して前記仕切り部材の上端部の差し込みが許容される上側受け溝を備え、
前記仕切り部材の下端部と対向する前記ケース本体内の下部に、該ケース本体の前後方向と平行して前記仕切り部材の下端部の差し込みが許容される下側受け溝を備え、
前記上側受け溝の溝深さを、
前記仕切り部材の下端部が前記下側受け溝から抜き取られる高さに該仕切り部材の持ち上げが許容される深さに設定した
請求項２に記載のペット用展示ケース。
【請求項４】
前記仕切り部を、
前記ペットの乗り越えが許容される高さを有する仕切り部材で構成した
請求項１に記載のペット用展示ケース。
【請求項５】
前記ケース本体の背面を、該ケース本体の後方側の透視が不可となる透視不可部材で構成した
請求項１〜４のいずれか一つに記載のペット用展示ケース。
【請求項６】
前記ケース本体内の正面側開口部上方に、
隣り合う各区分スペースに跨って該各区分スペースを照光する光源を１つ配置し、
前記仕切り部材の前記光源と対応する部分に、該光源の配置を許容する光源配置許容部を備えた
請求項１〜５のいずれか一つに記載のペット用展示ケース。
【請求項７】
前記ケース本体に、
前記ケース本体に接近する人を検知するための人感知センサーと、
前記人感知センサーから出力される検知信号に基づいて、前記光源の点灯・消灯・調光を制御する制御部とを備えた
請求項１〜６のいずれか一つに記載のペット用展示ケース。
【請求項８】
前記ケース本体の少なくとも正面を、
前記収容スペース内の視認が許容される透視可能状態と、該収容スペース内の視認が不可となる透視不可状態とに可変する透光性可変ガラスで構成した
請求項１〜７のいずれか一つに記載のペット用展示ケース。
【発明の詳細な説明】
【技術分野】
【０００１】
この発明は、ペットの譲渡、販売、貸出等に用いられるペット用展示ケースに関し、より詳しくは、ペットの躾けが適切に行われていることを訴求することができるペット用展示ケースに関する。
【背景技術】
【０００２】
従来、上述のペットを展示するためのケースとしては、例えば、ペットを、ペット収容部のペット収容室に収容するペット用展示販売ケースが提案されている（特許文献１参照）。このペット用展示販売ケースは、ペット収容部内の空間を間仕切りにて複数のペット収容室に区分している。  
しかし、各ペット収容室の内部は区分されておらず、ペット収容室内のどこでペットに排泄させるか排泄場所を特定することができない。このため、ペット収容室内における所定の排泄場所にて排泄を行うように躾けることができない。
【先行技術文献】
【特許文献】
【０００３】
【特許文献１】特開２０１１−２４６４４号公報
【発明の概要】
【発明が解決しようとする課題】
【０００４】
この発明は、収容スペースに収容されたペットの躾けが適切に行われていることを、ケース本体の少なくとも正面から視認させて、訴求することができるペット用展示ケースを提供することを目的とする。
【課題を解決するための手段】
【０００５】
この発明は、箱形状を有するケース本体の内部に、ペットの収容が許容される収容スペースを備えたペット用展示ケースであって、前記ケース本体の少なくとも正面を、前記収容スペースに収容されたペットの視認が許容される視認許容部材で構成し、前記収容スペースに、該収容スペースを複数の区分スペースに区分するとともに、該各区分スペースに対して前記ペットの移動を許容する仕切り部を備え、前記各区分スペースのうち少なくとも１つの区分スペースに、前記ペットの排泄物を処理する排泄物処理手段を備えたことを特徴とする。
【０００６】
この発明によれば、収容スペースに収容されたペットの躾けが適切に行われていることを、ケース本体の少なくとも正面から視認させて、訴求することができる。  
詳述すると、従来例のペット用展示販売ケースは、間仕切りによってペット収容部内の空間を複数の各ペット収容室に区分しているが、各ペット収容室の内部は区分されておらず、ペット収容室内における所定の排泄場所にて排泄を行うように躾けることができない。
【０００７】
これに対し、本発明のペット用展示ケースは、ケース本体の少なくとも正面を、収容スペースに収容されたペットの視認が許容される視認許容部材で構成しているので、収容スペースに収容されたペットが、仕切り部によって区分された所定の区分スペース、すなわち、排泄物処理手段を備えた少なくとも１つの区分スペースにおいて排泄するように躾けられた様子を、ケース本体の少なくとも正面から視認させて、躾けが適切に行われていることを訴求することができる。  
また、他の区分スペースにおいては、ペットが運動や休息、睡眠をとるように躾けられた様子を、ケース本体の少なくとも正面から視認させて、躾けが適切に行われていることを訴求することができる。
【０００８】
この結果、収容スペースに収容されたペットを見る人に対して、ペットの躾けが適切に行われているという安心感、信頼感を与えるとともに、ペット個体の価値を高めて、販売等を行うことができる。  
なお、ケース本体の正面と同様に、側面や背面、平面を視認許容部材で構成すれば、収容スペースに収容されたペットを、ケース本体の正面のみに限らず、側面や背面、平面からも視認できるため、視認可能な範囲を広くすることができる。
【０００９】
ここで、上記ペットは、例えば、犬、猫、ウサギ等で構成することができる。また、視認許容部材は、例えば、透明なガラス板やプラスチック板等の透光性を有する部材、あるいは、複数本の支柱からなる柵体、あるいは、経緯（経糸、横糸）からなるネット等で構成することができる。  
さらに、排泄物処理手段は、例えば、トイレ用受け皿（具体的には、ペット用トイレ）、吸水性を有する吸水シート等で構成することができる。
【００１０】
なお、上述のガラス板やプラスチック板を保持するフレームがなければ、フレームによってペットの視認が遮られることがないので、フレームレスのガラス板やプラスチック板で構成することが好ましい。  
また、仕切り部材は、例えば、ペットの出入が許容される開口部を備えた仕切りパネル、ペットの乗り越えが許容される高さに形成した仕切り板等で構成することができる。
【００１１】
この発明の態様として、前記仕切り部を、前記収容スペースの長手方向に直交する直交断面で切断した断面形状と対応する大きさ及び形状に形成した仕切り部材で構成し、前記仕切り部材に、前記ペットの出入が許容される大きさに開口した開口部を備えることができる。
【００１２】
この発明によれば、ペットを、ケース本体の少なくとも正面から視認しやすい位置へ誘導することができる。  
詳述すると、従来例のペット用展示販売ケースは、間仕切りによってペット収容部内の空間を各ペット収容室に区分しているが、ペット収容室に収容されたペットが、ペット収容室内のどの場所へ移動するか定まっていない。例えば、ペットが、ペット収容室の内壁近くに移動した場合、内壁と平行する方向や斜めに交差する方向からペットを視認することが難しくなる。
【００１３】
これに対し、本発明のペット用展示ケースは、収容スペースを、上述のような開口部を有する仕切り部材によって複数の各区分スペースに区分した構成を備えているので、ペットを、仕切り部材の開口部を通過させることにより、各区分スペースの所定位置へ誘導することができる。  
例えば、開口部を、仕切り部材の中央部や、ケース本体の正面近くに配置すれば、ペットが、ケース本体の少なくとも正面から視認しやすい位置に誘導されるので、ペットの視認性が高くなり、ペットの展示を効果的に行うことができる。
【００１４】
また、この発明の態様として、前記仕切り部材の上端部と対向する前記ケース本体の天板下面に、該ケース本体の前後方向と平行して前記仕切り部材の上端部の差し込みが許容される上側受け溝を備え、前記仕切り部材の下端部と対向する前記ケース本体の床部上面に、該ケース本体の前後方向と平行して前記仕切り部材の下端部の差し込みが許容される下側受け溝を備え、前記上側受け溝の溝深さを、前記仕切り部材の下端部が前記下側受け溝から抜き取られる高さに該仕切り部材の持ち上げが許容される深さに設定することができる。
【００１５】
この発明によれば、ペットの躾け具合に応じて、収容スペースを複数の各区分スペースに区分する区分状態と、各区分スペースを一つに連通する連通状態とに変更することができる。  
詳述すると、仕切り部材の上下端部を上側受け溝と下側受け溝とから抜き取れば、収容スペースから簡単に取り外すことができ、各区分スペースを一つに連通することができる。これにより、隣り合う各区分スペースを連通して、１つのスペースとして広く使うことができる。  
つまり、仕切り部材を取り外せば、ペットが、各区分スペースのどこに移動しても視認が遮られることがなく、ペットを、ペット用展示ケースの正面、側面、斜め前方等から確実に視認させることができる。
【００１６】
また、仕切り部材を取り外せば、例えば、ペットの排泄物を除去したり、各区分スペースを清掃する作業が仕切り部材によって妨げられることがなく、作業が効率よく行える。
【００１７】
また、この発明の態様として、前記仕切り部を、前記ペットの乗り越えが許容される高さを有する仕切り部材で構成することができる。  
この発明によれば、ペットが、各区分スペースのどこに移動しても視認が遮られることがなく、ペットの略全体を、ペット用展示ケースの正面、側面、斜め前方等から確実に視認させることができる。
【００１８】
詳述すると、従来例のペット用展示販売ケースにおける間仕切りにペットの出入が許容される開口部を設けても、間仕切りが不透明な部材であれば、開口部のみに視認可能な範囲が制限されることになり、ペットの全体を視認させることができない。
【００１９】
これに対し、本発明のペット用展示ケースは、仕切り部材を、ペットの乗り越えが許容される高さに構成しているので、ペットが、各区分スペースのどこに移動しても視認が遮られることがなく、ペットの略全体を、ペット用展示ケースの正面、側面、斜め前方等から確実に視認させるとともに、ペットに対しては、収容スペースが区分されていることを、仕切り部材を乗り越えさせることによって自然に認識させ、躾け効果の向上を期待することができる。
【００２０】
さらに、仕切り部材によって各区分スペースの間を間仕切りするため、上述のように、隣り合う一方の区分スペースを居住用として、他方の区分スペースをトイレ用として躾ける効果が得られる。  
ここで、上記仕切り部分は、例えば、ペットの乗り越えが許容される高さに形成した仕切り板、段部、凸部等で構成することができる。しかし、ペットの乗り越えが許容される高さであれば、上述の凸状仕切り部材のみに限定されるものではない。
【００２１】
また、この発明の態様として、前記ケース本体の背面を、該ケース本体の後方側の透視が不可となる透視不可部材で構成することができる。  
この発明によれば、人の視線を、収容されたペットに誘導し、注目させることができる。
【００２２】
詳述すると、従来例のペット用展示販売ケースにおける背面側の収容室開閉扉は、透光性を有するガラス板で構成しているので、ペット用展示販売ケースの前方側から後方側のバックヤード（背景等）が視認可能であり、ペット収容室に収容されたペットに対する注目度が低くなる。
【００２３】
これに対し、本発明のペット用展示ケースは、ケース本体の背面を、後方側の透視が不可となる透視不可部材で構成しているので、ペット用展示ケースの後方側に、人の視線を誘導するものが存在あるいは配置されていても、ペット用展示ケースの前方側から見えることがなく、人の視線を、区分スペースに収容されたペットに注目させることができる。  
ここで、上記透視不可部材は、例えば、不透明な材料や部材、あるいは、不透明な処理を施した部材等で構成することができる。
【００２４】
また、この発明の態様として、前記ケース本体内の正面側開口部上方に、隣り合う各区分スペースに跨って該各区分スペースに向けて投光する光源を１つ配置し、前記仕切り部材の前記光源と対応する部分に、該光源の配置を許容する光源配置許容部を備えることができる。
【００２５】
この発明によれば、各区分スペースに収容されたペットを、１つの光源から投光される光によって視認しやすい状態に照光することができる。  
詳述すると、従来例のペット用展示販売ケースにおける間仕切りは、隣り合うペット収容室の間を完全に遮断する構造であるため、間仕切りを不透明な部材で構成した場合、ペット収容室内に配置した照明（蛍光灯等）から投光される光が間仕切りによって遮光されてしまい、ペット収容室内に収容されたペットが視認しにくくなる。そこで、光源を各ペット収容室にそれぞれ配置すれば、ペットがどのペット収容室に移動しても照光することができるが、光源の配置数が多くなるため、光源の取り付け作業に手間がかかるだけでなく、配線が複雑になる。
【００２６】
これに対し、本発明のペット用展示ケースは、１つの光源を、隣り合う各区分スペースに跨って配置した構成を備えているので、光源から投光される光が仕切り部によって遮光されることがなく、ペットがどの区分スペースに移動しても、１つの光源から投光される光によって、各区分スペースに収容されたペットを視認しやすい状態に明るく照光することができる。
【００２７】
さらに、光源から投光される光を、各区分スペースに向けて照射するので、ペットを目視する人が眩しく感じることがなく、視認しやすい状態を保つことができる。  
この結果、光源の配置数が少なくて済み、光源の取り付け作業に要する手間が省けるとともに、配線を簡素化して、製作コストの低減を図ることができる。
【００２８】
ここで、上記光源は、例えば、ＬＥＤ照明等で構成することができる。ＬＥＤ照明は、従来の電球に比べて消費電力が少なく、交換時期が到来するまでの寿命が長いため、経済的である。しかも、紫外線や発熱が低いので、ペット等の生体に与える影響が少ない。  
また、光源配置許容部は、例えば、切欠き部、孔部等で構成することができる。なお、光源の配置が許容される構造であれば、実施形態の大きさや形状のみに限定されるものではない。
【００２９】
また、この発明の態様として、前記ケース本体に、前記ケース本体に接近する人を検知するための人感知センサーと、前記人感知センサーから出力される検知信号に基づいて、前記光源の点灯・消灯・調光を制御する制御部とを備えることができる。
【００３０】
この発明によれば、ペット用展示ケースに人が接近した際、各区分スペースをペットの視認が許容される明るさに照光することができる。  
詳述すると、従来例のペット用展示販売ケースにおいて、ペット収容室に収容されたペットを照光するための照明（蛍光灯等）は、ペットを視認しようとして、人の有無に関係なく常時点灯しているため、消費電力が大きく、維持及び管理にコストがかかる。また、消灯するときも操作しなければならず、光源を消灯することを忘れることがあり、節電効果が得られない。
【００３１】
これに対し、本発明のペット用展示ケースは、ペットを視認しようとして、人がペット用展示ケースに接近した際、人感知センサーが人の接近を検知し、その検知信号を制御部に出力する。制御部は、人感知センサーから出力される検知信号に基づいて光源を制御し、ペットが収容された区分スペースを、該ペットの視認が許容される明るさに照光する。また、光源の明るさを、ペットの存在が確認できる程度の明るさに調光してもよい。
【００３２】
また、ペット用展示ケースから人が離れたり、近くに人がいなかったり、人感知センサーの感知範囲内に人がいない場合、人感知センサーから検知信号が出力されないため、制御部は、光源を消灯又は減灯に制御する。なお、一定時間が経過した後、点灯した光源を消灯又は減灯するように制御してもよい。
【００３３】
すなわち、ペット用展示ケースに人が近づいた際、光源を点灯させるので、常時点灯しておくよりも消費電力が少なく、節電効果が得られる。  
ここで、上記人感知センサーは、例えば、赤外線センサー、超音波センサー、光電センサー等で構成することができる。
【００３４】
また、この発明の態様として、前記ケース本体の少なくとも正面を、前記収容スペース内の視認が許容される透視可能状態と、該収容スペース内の視認が不可となる透視不可状態とに可変する透光性可変ガラスで構成することができる。
【００３５】
この発明によれば、ペットの体調や躾け具合に応じて、ケース本体の少なくとも正面を透視可能状態と透視不可状態とに可変することができる。  
詳述すると、従来例のペット用展示販売ケースは、ペット収容室の前面板と、上面板と、側面板と、収容室開閉扉と、間仕切りとを、透光性を有するガラス板で構成しているため、ペット収容室に収容されたペットをどの方向からでも視認させることができるが、常に視認可能な状態にあるため、ペットに与える精神的な疲労が大きい。
【００３６】
これに対し、本発明のペット用展示ケースは、ケース本体の少なくとも正面を、透視可能状態と透視不可状態とに可変する透光性可変ガラスで構成しているので、上述のように、隣り合う一方の区分スペースにてペットが休息や睡眠をとる場合、その区分スペースと対応する少なくとも正面を透視不可状態に可変する。また、他方の区分スペースにてペットが排泄を行う場合、その区分スペースと対応する少なくとも正面を透視不可状態に可変する。
【００３７】
これにより、各区分スペースに収容されたペットの様子を外部から覗き見したり、ペットが外部を視認することも不可能となるため、ペットの休息や睡眠、排泄が妨げられることを防止できる。  
この結果、ペット用展示ケースに収容した状態で飼育する際、ペットに与える精神的な疲労を軽減して、躾しやすい生活環境を作り出すことができる。
【００３８】
なお、各区分スペースと対応する正面及び側面を透視可能状態に可変すれば、各区分スペースに収容されたペットを、ペット用展示ケースの正面や側面から確実に視認させることができる。  
ここで、上記透光性可変ガラスは、例えば、電圧をかけると分子の並び方が変化する高分子液晶シートを挟み込んだガラスで構成することができる。
【発明の効果】
【００３９】
この発明によれば、収容スペースに収容されたペットの躾けが適切に行われていることを、ケース本体の少なくとも正面から視認させて、訴求することができるペット用展示ケースを提供することができる。
【図面の簡単な説明】
【００４０】
【図１】斜め前方から見たペット用展示ケースの外観斜視図。
【図２】ペット用展示ケースの正面図、背面図。
【図３】ペット用展示ケースの平面図、側面図。
【図４】仕切りパネルの取り付け状態を示す一部切欠き正面図。
【図５】仕切りパネル及び光源の取り付け状態を示す縦断側面図。
【図６】開閉扉を仕切りパネルの開口部に取り付けたペット用展示ケースの外観斜視図。
【図７】ペットの乗り越えが許容される高さに形成した仕切りパネルを取り付けたペット用展示ケースの外観斜視図。
【図８】透光性可変ガラスを備えたペット用展示ケースの外観斜視図。
【発明を実施するための形態】
【００４１】
この発明の一実施形態を以下図面に基づいて詳述する。  
図１は斜め前方から見たペット用展示ケース１０の外観斜視図、図２（ａ）はペット用展示ケース１０の正面図、（ｂ）はペット用展示ケース１０の背面図、図３（ａ）はペット用展示ケース１０の平面図、図３（ｂ）はペット用展示ケース１０の側面図、図４は仕切りパネル２５の取り付け状態を示す一部切欠き正面図、図５は仕切りパネル２５及び光源の取り付け状態を示す縦断側面図である。
【００４２】
本実施形態のペット用展示ケース１０（具体的には、犬舎）は、横長の箱形状を有するケース本体２０の正面に透明の正面扉３０を、背面に不透明の背面扉４０を、左右に透明の側板５０を備えている。また、正面扉３０と、背面扉４０と、左右の側板５０とで囲繞された内部に、図示しないペットの収容が許容される収容スペースＳを備えている。
【００４３】
ケース本体２０は、上部に配置した天板２１と、下部に配置した床板２２と、天板２１と床板２２との対向する四隅に立設した４本の支持枠２３とで組み立てられている。  
なお、ケース本体２０は、アルミニウム打ち抜き材で構成され、アルマイト仕上げしている。
【００４４】
収容スペースＳは、内部を、板状の仕切りパネル２５により居住スペースＳ１とトイレスペースＳ２とに区分している。また、居住スペースＳ１とトイレスペースＳ２とは、居住スペースＳ１に比べてトイレスペースＳ２の方の内部容積が小さくなるように非対称となる大きさ及び形状に形成している。  
なお、仕切りパネル２５は、正面から見て収容スペースＳの中央部よりも左寄りとなる位置に配置している。
【００４５】
一方の広い居住スペースＳ１は、ペットが休息や運動を行うためのスペースとして十分な広さに設定している。また、他方の狭いトイレスペースＳ２は、ペットが排泄を行うためのスペースとして必要な広さに設定している。  
これにより、隣り合う居住スペースＳ１とトイレスペースＳ２を、居住や排泄等のそれぞれの用途や目的に応じて有効に活用することができる。
【００４６】
居住スペースＳ１の床面には、ペットの足に与える衝撃を緩和するため、柔軟性を有するマット１１を敷設している。また、トイレスペースＳ２の床面には、ペットが排泄するための排泄物受け皿１２（具体的には、ペット用トイレ）を配置している。  
なお、排泄物受け皿１２の代わりに、例えば、吸水性を有する吸水シート等を敷設してもよい。
【００４７】
仕切りパネル２５は、収容スペースＳの左右方向Ａに直交する直交断面で切断した断面形状と対応する大きさ及び形状に形成している。また、仕切りパネル２５の左右方向Ａから見た中央部には、ペットの出入が許容される大きさ及び形状を有する開口部２５ａを開口している。なお、仕切りパネル２５は、耐水性を有する木調樹脂複合板で構成している。
【００４８】
仕切りパネル２５の上端部と対向する天板２１の下面には、ケース本体２０の前後方向Ｂと平行して、仕切りパネル２５の上端部の差し込みが許容される上側受け溝２１ａを配置している（図４のａ部拡大図参照）。  
また、仕切りパネル２５の下端部と対向する床板２２の上面には、ケース本体２０の前後方向Ｂと平行して、仕切りパネル２５の下端部の差し込みが許容される下側受け溝２２ａを配置している（図４のｂ部拡大図参照）。
【００４９】
上側受け溝２１ａの溝深さは、仕切りパネル２５の下端部が下側受け溝２２ａから抜き取られる高さに該仕切りパネル２５の持ち上げが許容される深さに設定している（図４のａ部拡大図の仮想線参照）。  
下側受け溝２２ａの底面には、側面から見て断面略半球形状の緩衝部材２２ｂを下側受け溝２２ａの長手方向に対して所定間隔を隔てて３個配置している。この緩衝部材２２ｂは、弾性を有する合成ゴムで構成され、下側受け溝２２ａの底面に対して粘着剤や接着剤で固定している。
【００５０】
上述した仕切りパネル２５の上端部は、先に、上側受け溝２１ａに対して下方から差し込まれる。この後、仕切りパネル２５の下端部は、下側受け溝２２ａに対して上方から差し込まれる。  
これにより、仕切りパネル２５が収容スペースＳに対して起立した状態に支持され、収容スペースＳが居住スペースＳ１とトイレスペースＳ２とに区分される。
【００５１】
仕切りパネル２５によって区分された一方の居住スペースＳ１は、ペットの休息や運動を行うための居住用として、他方のトイレスペースＳ２は、ペットの排泄を行うためのトイレ用として使い分けることができる。
【００５２】
収容スペースＳに収容されたペットは、仕切りパネル２５の開口部２５ａを通り抜けて、居住スペースＳ１とトイレスペースＳ２とに移動するため、開口部２５ａを仕切りパネル２５の中央部に開口することにより、ペット用展示ケース１０の正面及び側面から視認しやすい位置、すなわち、居住スペースＳ１及びトイレスペースＳ２の略中央へ誘導することができる。  
この結果、ペットの視認性が高くなり、ペットの展示を効果的に行うことができる。
【００５３】
仕切りパネル２５で間仕切りした状態において、仕切りパネル２５の下端部は下側受け溝２２ａの緩衝部材２２ｂにて支持されるので、ペットが仕切りパネル２５に当接又は接触しても、仕切りパネル２５に付与される衝撃が緩衝部材２２ｂの弾性変形によって吸収・緩和されるため、仕切りパネル２５が倒れたり、破損したりすることを防止できる。  
なお、緩衝部材２２ｂを、上側受け溝２１ａにも配置してもよく、下側受け溝２２ａのみに配置するよりも、衝撃を吸収・緩和する機能を向上させることができる。
【００５４】
また、仕切りパネル２５を収容スペースＳから抜き取る場合、仕切りパネル２５の全体を上方に持ち上げて、仕切りパネル２５の下端部を、下側受け溝２２ａから先に抜き取った後、仕切りパネル２５の全体を斜め姿勢（図４中の仮想線参照）に傾けながら、仕切りパネル２５の上端部を上側受け溝２１ａから抜き取る。  
これにより、仕切りパネル２５を収容スペースＳから簡単に取り外すことができ、居住スペースＳ１とトイレスペースＳ２とを連通して、１つのスペースとして広く使うことができる。
【００５５】
つまり、仕切りパネル２５を取り外せば、ペットが居住スペースＳ１やトイレスペースＳ２のどこに移動しても視認が遮られることがなく、居住スペースＳ１やトイレスペースＳ２に収容されたペットを、居住側正面扉３１と、トイレ側正面扉３２と、左右の側板５０とを透かして、ペット用展示ケース１０の正面、側面、斜め前方等から確実に視認させることができる。
【００５６】
上述した仕切りパネル２５は、収容スペースＳに対して着脱可能に設けているので、ペットの躾け具合に応じて、収容スペースＳを居住スペースＳ１とトイレスペースＳ２とに区分する区分状態と、居住スペースＳ１とトイレスペースＳ２を一つに連通する連通状態とに変更することができる。
【００５７】
正面扉３０は、居住スペースＳ１と対応する居住側正面開口部２６Ａが閉塞される大きさ及び形状に形成した居住側正面扉３１と、トイレスペースＳ２と対応するトイレ側正面開口部２６Ｂが閉塞される大きさ及び形状に形成したトイレ側正面扉３２とで構成している（図１、図２参照）。
【００５８】
居住側正面開口部２６Ａとトイレ側正面開口部２６Ｂは、ケース本体２０の正面全体を開口してなる横長の正面側開口部を仕切りパネル２５で分割して開口している。  
なお、居住側正面扉３１とトイレ側正面扉３２は、フレームレスの透明なガラス板で構成している。また、左右の側板５０は、透明な強化ガラスで構成している。
【００５９】
居住側正面扉３１は、正面から見て右側縁部を、３つの蝶番３１ａを介して、正面から見て右側に配置した右側支持枠２３に対して左右開閉自在に連結している。また、トイレ側正面扉３２は、正面から見て左側縁部を、３つの蝶番３２ａを介して、正面から見て左側に配置した左側支持枠２３に対して左右開閉自在に連結している。  
これにより、蝶番３１ａと蝶番３２ａとを軸として、居住側正面扉３１とトイレ側正面扉３２とを左右両開き可能に取り付けている。
【００６０】
居住側正面扉３１の開閉側中央部には、該居住側正面扉３１を開放不可に施錠または開放不可に開錠するためのキーロック部３３を取り付けている。  
居住側正面扉３１の閉状態において、キーロック部３３は施錠されており、居住側正面扉３１を閉塞状態にロックしているため、居住側正面扉３１を透かして、居住スペースＳ１に収容されたペットを正面側から視認させることができる。  
トイレ側正面扉３２の開閉側上下縁部には、該トイレ側正面扉３２を開放不可に施錠または開放不可に開錠するためのキーロック部３４を取り付けている。
【００６１】
トイレ側正面扉３２の閉塞状態において、一対のキーロック部３４は施錠されており、トイレ側正面扉３２を閉塞状態にロックしているため、トイレ側正面扉３２を透かして、トイレスペースＳ２にてペットが排泄を行っていることを正面側から視認させることができる。
【００６２】
背面扉４０は、居住スペースＳ１と対応する居住側背面開口部２７Ａが閉塞される大きさ及び形状に形成した居住側背面扉４１と、トイレスペースＳ２と対応するトイレ側背面開口部２７Ｂが閉塞される大きさ及び形状に形成したトイレ側背面扉４２とで構成している（図２（ｂ）参照）。  
居住側背面開口部２７Ａとトイレ側背面開口部２７Ｂは、ケース本体２０の背面全体を開口してなる横長の背面側開口部を仕切りパネル２５で分割して開口している。
【００６３】
なお、居住側背面扉４１とトイレ側背面扉４２は、ペット用展示ケース１０の前方側から後方側のバックヤード（背景等）の透視が不可となる不透明な耐水性を有する木調樹脂複合板で構成している。
【００６４】
居住側背面扉４１は、背面から見て左側縁部を、２つの蝶番４１ａを介して、背面から見て左側に配置した左側支持枠２３に対して左右開閉自在に連結している。また、トイレ側背面扉４２は、背面から見て右側縁部を、２つの蝶番４２ａを介して、背面から見て右側に配置した右側支持枠２３に対して左右開閉自在に連結している。  
これにより、蝶番４１ａと蝶番４２ａとを軸として、居住側背面扉４１とトイレ側背面扉４２とを左右両開き可能に取り付けている。
【００６５】
居住側背面扉４１及びトイレ側背面扉４２の上側背面には、厚み方向に貫通して開口した丸形状の通気孔４３を左右方向Ａに向けて所定間隔を隔てて複数配置している。  
居住側背面扉４１の下側背面には、例えば、給水用の吸水路や給水口等を居住スペースＳ１の内部に導くための吸水孔４４と、居住スペースＳ１の床部を温めるためのヒーターコードを導くためのヒーターコード孔４５とを開口している。
【００６６】
また、背面から見て天板２２の背面側枠部と、床板２２の背面側枠部には、居住側背面扉４１とトイレ側背面扉４２とを個々に開放不可に施錠し、個々に開放可能に開錠するための背面扉ロック部４５を取り付けている。  
居住側背面扉４１及びトイレ側背面扉４２の閉塞状態において、上下一対の背面扉ロック部４５は施錠されており、居住側背面扉４１とトイレ側背面扉４２とをそれぞれ閉塞状態にロックしている。
【００６７】
居住側背面扉４１とトイレ側背面扉４２とのいずれか一方を開放する場合、その開放側の背面扉４１又は４２と対応する側の背面扉ロック部４５が開錠され、開放側の背面扉４１又は４２を開放可能にする。  
また、居住側背面扉４１とトイレ側背面扉４２とのいずれか一方を閉塞する場合、その閉塞側の背面扉４１又は４２と対応する側の背面扉ロック部４５が施錠され、閉塞側の背面扉４１又は４２を開放不可にする。
【００６８】
上述のように構成した居住側正面扉３１及びトイレ側正面扉３２と、居住側背面扉４１及びトイレ側背面扉４２とは個々に開閉することができるが、ペットを出し入れする際、居住側正面扉３１あるいは居住側背面扉４１のどちらを開放してもよく、ペット用展示ケース１０の正面側あるいは背面側のどちらからでもペットの出し入れを行うことができる。
【００６９】
また、ペットが、トイレスペースＳ２から居住スペースＳ１へ移動した際、トイレ側正面扉３２あるいはトイレ側背面扉４２のどちらを開放して、排泄物受け皿１２に排泄された排泄物（例えば、糞や尿等）を除去したり、トイレスペースＳ２の内部を清掃したりする作業を、ペット用展示ケース１０の正面側あるいは背面側のどちらからでも行うことができる。
【００７０】
また、ペットが、居住スペースＳ１からトイレスペースＳ２へ移動した際、居住側正面扉３１あるいは居住側背面扉４１のどちらを開放して、マット１１を取り換えたり、居住スペースＳ１の内部を清掃したりする作業を、ペット用展示ケース１０の正面側あるいは背面側から行うことができる。
【００７１】
上述のような作業を行う際、居住スペースＳ１とトイレスペースＳ２とのいずれか一方を開放して行えば、作業中において、ペットが逃げ出すことを防止できる。  
また、居住側正面扉３１及びトイレ側正面扉３２の両方、または、居住側背面扉４１及びトイレ側背面扉４２の両方を開放すれば、ペット用展示ケース１０の正面側開口部あるいは背面側開口部が全開放されるため、居住側正面扉３１及びトイレ側正面扉３２の一方、または、居住側背面扉４１及びトイレ側背面扉４２の一方を開放するよりも開口面積が大きく、清掃作業や交換作業が楽に行え、作業の能率アップを図ることができる。
【００７２】
居住側背面扉４１及びトイレ側背面扉４２の一方あるいは両方を開放して、ペット用展示ケース１０の後方側から上述の作業を行えば、ペット用展示ケース１０の正面側に立つ人の視線が遮られることがなく、上述の作業を行っているあいだも、好みのペットを視認させることができる。
【００７３】
上述した収容スペースＳ内の正面側開口部上方には、居住スペースＳ１及びトイレスペースＳ２の内部と、該スペースＳ１，Ｓ２に収容されたペットを照光するための横長形状のＬＥＤ照明５２（具体的には、１４Ｗの照明）を１個配置している（図３（ａ）、図５参照）。
【００７４】
ＬＥＤ照明５２は、居住スペースＳ１の正面から見て右端角隅部から、トイレスペースＳ２の正面から見て左端角隅部に至る長さに形成され、ケース本体２０の正面から見て正面側上枠部の裏面側角隅部に沿って左右方向Ａに平行して取り付けている。
【００７５】
つまり、ＬＥＤ照明５２は、ペット用展示ケース１０の正面側から視認できない位置に取り付けるとともに、ＬＥＤ照明５２の投光方向を、居住スペースＳ１及びトイレスペースＳ２の内部と、スペースＳ１，Ｓ２に収容されたペットに向けて照光される方向に設定している。したがって、ペット用展示ケース１０に収容されたペットを正面側から視認させる際、ＬＥＤ照明５２から投光される光を眩しく感じることがない。
【００７６】
しかも、ＬＥＤ照明５２は、居住スペースＳ１とトイレスペースＳ２とに跨って取り付けているので、ＬＥＤ照明５２から投光される光は、居住スペースＳ１やトイレスペースＳ２に収容されたペットに向けて照光される。このため、居住スペースＳ１やトイレスペースＳ２に収容されたペットを視認しやすい状態に明るく照光することができる。
【００７７】
また、ＬＥＤ照明５２と対向する仕切りパネル２５の上端側角隅部には、ＬＥＤ照明５２の配置が許容される切欠き部２５ｄを形成している（図５参照）。  
仕切りパネル２５を、収容スペースＳが居住スペースＳ１とトイレスペースＳ２とに区分される位置に立てる際、切欠き部２５ｄによってＬＥＤ照明５２に対する当接が回避されるため、ＬＥＤ照明５２の取り付けが妨げられることがない。  
また、ＬＥＤ照明５２から投光される光が仕切りパネル２５によって遮光されることがなく、居住スペースＳ１とトイレスペースＳ２とを同時に明るく照光することができる。
【００７８】
つまり、１つのＬＥＤ照明５２を、居住スペースＳ１とトイレスペースＳ２とに跨って配置しているので、ＬＥＤ照明５２の配置数が少なくて済み、従来例の電球を複数配置するよりも、ＬＥＤ照明５２を配置する際に要する手間が省けるとともに、ＬＥＤ照明５２の配線を簡素化して、製作コストの低減を図ることができる。
【００７９】
天板２２の正面側枠部には、ペット用展示ケース１０に接近する人を検知するための人感知センサー５３を備えている。また、正面側枠部には、人感知センサー５３から出力される検知信号に基づいて、ＬＥＤ照明５２の点灯・消灯を制御する制御部５４を備えている（図１、図２参照）。
【００８０】
ペットを視認しようとして、人がペット用展示ケース１０に接近した際、人感知センサー５３が人の接近を検知し、その検知信号を制御部５４に出力する。  
制御部５４は、人感知センサー５３から出力される検知信号に基づいてＬＥＤ照明５２を点灯に制御し、居住スペースＳ１及びトイレスペースＳ２の内部と、該スペースＳ１，Ｓ２に収容されたペットとを、ペットの視認が許容される明るさに照光するので、スペースＳ１，Ｓ２に収容されたペットを確実に視認させることができる。  
なお、ＬＥＤ照明５２の明るさを、スペースＳ１，Ｓ２に収容されたペットの存在が確認できる程度の明るさに調光してもよい。
【００８１】
また、ペット用展示ケース１０から人が離れたり、近くに人がいなかったり、人感知センサー５３の感知範囲内に人がいない場合、人感知センサー５３から検知信号が出力されないため、制御部５４は、ＬＥＤ照明５２を消灯又は減灯に制御する。なお、一定時間が経過した後、点灯したＬＥＤ照明５２を消灯又は減灯するように制御してもよい。
【００８２】
このように、ペット用展示ケース１０に人が近づいた際、ＬＥＤ照明５２を点灯させるので、常時点灯しておくよりも消費電力が少なく、節電効果が得られる。
【００８３】
なお、天板２２の背面側枠部には、ＬＥＤ照明５２を点灯・消灯するためのスイッチと、電源用のコンセントとを備えている。また、ＬＥＤ照明５２の明るさを調節するためのスイッチを設けてもよい。
【００８４】
上述のように構成したペット用展示ケース１０は、居住側正面扉３１と、トイレ側正面扉３２と、左右の側板５０とを透明なガラスで構成しているので、収容スペースＳに収容されたペットが、仕切りパネル２５によって区分されたトイレスペースＳ２、すなわち、トイレスペースＳ２の排泄物受け皿１２（具体的には、ペット用トイレ）にて排泄するように躾けられた様子を、居住側正面扉３１と、トイレ側正面扉３２と、左右の側板５０とを透かして、ケース本体２０の正面及び側面から確実に視認させて、躾けが適切に行われていることを訴求することができる。
【００８５】
この結果、ペット用展示ケース１０に収容されたペットを見る人に対して、ペットの躾けが適切に行われているという安心感、信頼感を与えるとともに、ペット個体の価値を高めて、例えば、譲渡、販売、貸出等を行うことができる。
【００８６】
上述した仕切りパネル２５の開口部２５ａは常時開放されているが、図６に示すように、開閉扉２５ｂを開口部２５ａに対して前後開閉自在に取り付けてもよい。図６は開閉扉２５ｂを仕切りパネル２５の開口部２５ａに取り付けたペット用展示ケース１０の外観斜視図である。
【００８７】
開閉扉２５ｂは、開口部２５ａが閉塞される大きさ及び形状に形成している。また、開閉扉２５ｂの一側縁部は、開口部２５ａの一側縁部に対して２つの蝶番２５ｃで連結して、開閉扉２５ｂを開口部２５ａに対して左右開閉自在に取り付けている。
【００８８】
トイレスペースＳ２にて排泄を行わせる場合、仕切りパネル２５の開閉扉２５ｂを開放して、ペットを、仕切りパネル２５の開口部２５ａを通り抜けさせるとともに、居住スペースＳ１からトイレスペースＳ２へ誘導して、トイレスペースＳ２にて排泄を行わせる。
【００８９】
ペットが、トイレスペースＳ２に移動した際、仕切りパネル２５の開口部２５ａを開閉扉２５ｂで閉塞すれば、排泄が終わるまでに、ペットがトイレスペースＳ２から居住スペースＳ１へ勝手に移動することを確実に阻止できる。このため、躾け初期時において、トイレスペースＳ２にて排泄を行うように強く躾けることができる。
【００９０】
また、開口部２５ａを開閉扉２５ｂで閉塞しておけば、必要もなく、ペットが居住スペースＳ１からトイレスペースＳ２へ勝手に移動することも確実に阻止できるため、居住スペースＳ１にて休息や運動を行うように強く躾けることができる。この結果、前記実施形態と略同等の作用及び効果を奏することができる。
【００９１】
なお、開閉扉２５ｂを、仕切りパネル２５の開口部２５ａが閉塞される状態に図示しない開閉扉ロック手段にて施錠してもよい。また、開閉扉２５ｂを、仕切りパネル２５に対して前後方向Ｂに向けてスライド開閉自在に取り付けてもよい。
【００９２】
また、上述した仕切りパネル２５に代えて、図７に示すように、ペットの乗り越えが許容される高さを有する凹状の仕切りパネル２５０により、収容スペースＳを居住スペースＳ１とトイレスペースＳ２とに間仕切りしてもよい。  
図７はペットの乗り越えが許容される高さに形成した仕切りパネル２５０を取り付けたペット用展示ケース１０の外観斜視図である。
【００９３】
仕切りパネル２５０は、中央部をペットの乗り越えが許容される高さに凹状に形成している。また、下端部は床板２２の下側受け溝２２ａに対して抜き差し可能に設けている。  
図１に示す仕切りパネル２５は、開口部２５ａを除いて他の部分は不透明な部材で構成されているため、居住スペースＳ１とトイレスペースＳ２とのどちらかに移動したペットを、ケース本体２０の斜め前方や真横から視認しようとしても、仕切りパネル２５の開口部２５ａのみに視認可能な範囲が制限されてしまい、ペット全体を視認させることができない。
【００９４】
これに対し、凹状の仕切りパネル２５０を、床板２２の下側受け溝２２ａに差し込み固定すれば、ペットが、居住スペースＳ１及びトイレスペースＳ２のどちらに移動しても視認が遮られることがなく、ペットの略全体を、ペット用展示ケース１０の正面、側面、斜め前方等から確実に視認させることができる。
【００９５】
さらに、ペットに対しては、収容スペースＳが居住スペースＳ１とトイレスペースＳ２とに区分されていることを、居仕切りパネル２５０を乗り越えさせることによって自然に認識させ、躾け効果の向上を期待することができる。この結果、前記実施形態と略同等の作用及び効果を奏することができる。
【００９６】
なお、上述の仕切りパネル２５０による躾け効果は、図１に示す開口部２５ａを備えた仕切りパネル２５にも応用することができる。  
すなわち、開口部２５ａの下縁部をペットの乗り越えが許容される高さに設定したり、開口部２５ａの上縁部と両側縁部とを、ペットの出入が許容される高さや幅に設定することで、開口部２５ａの下縁部を乗り越えさせたり、開口部２５ａをくぐり抜けさせることによって、収容スペースＳが居住スペースＳ１とトイレスペースＳ２とに区分されていることを、自然に認識させることができる。
【００９７】
また、上述したペット用展示ケース１０の正面扉３０と左右の側板５０は、透明なガラス板で構成しているが、図８に示すように、電圧を印加すると不透明な状態から透明な状態に変化する高分子液晶シートを挟み込んだ透光性可変ガラスで、居住側正面扉３１０と、トイレ側正面扉３２０と、左右の側板５００とを構成してもよい。図８は透光性可変ガラスを備えたペット用展示ケース１０の外観斜視図である。  
なお、透光性可変ガラスは、電圧を印加すると不透明な状態から透明な状態に変化する高分子液晶シートを２枚のガラスの間に挟み込んだものである。
【００９８】
すなわち、居住側正面扉３１０と、トイレ側正面扉３２０と、左右に配置した側板５００とを、収容スペースＳ内や該収容スペースＳに収容されたペットの視認が許容される透視可能状態と、該収容スペースＳ内や該収容スペースＳに収容されたペットの視認が不可となる透視不可状態とに可変する透光性可変ガラスで構成している。
【００９９】
例えば、居住スペースＳ１にてペットが休息や睡眠をとる場合、居住スペースＳ１と対応する居住側正面扉３１０と側板５００とに電圧を印加して透視不可状態に可変するので、居住スペースＳ１に収容されたペットの様子を外部から覗き見したり、ペットが外部を視認することも不可能となる。
【０１００】
また、トイレスペースＳ２にてペットが排泄を行う場合、トイレスペースＳ２と対応するトイレ側正面扉３２０と側板５００とに電圧を印加して透視不可状態に可変するので、トイレスペースＳ２に収容されたペットの様子を外部から覗き見したり、ペットが外部を視認することも不可能となる。
【０１０１】
この結果、前記実施形態と略同等の作用及び効果を奏することができるだけでなく、ペット用展示ケース１０に収容した状態で飼育する際、ペットの休息や睡眠、排泄が妨げられることを防止できるとともに、ペットに与える精神的な疲労を軽減して、躾しやすい生活環境を作り出すことができる。
【０１０２】
また、電圧の印加を解除して、居住側正面扉３１０と、トイレ側正面扉３２０と、左右に配置した側板５００とを透視可能状態に可変すれば、居住スペースＳ１やトイレスペースＳ２に収容されたペットを、ペット用展示ケース１０の正面、側面、斜め前方等から確実に視認させて、躾けが適切に行われていることを訴求することができる。
【０１０３】
この発明の構成と、前記実施形態との対応において、  
この発明の視認許容部材は、居住側正面扉３１と、トイレ側正面扉３２と、側板５０に対応し、  
以下同様に、  
区分スペースは、居住スペースＳ１と、トイレスペースＳ２に対応し、  
仕切り部は、仕切りパネル２５，２５０に対応し、  
排泄物処理手段は、排泄物受け皿１２に対応し、  
光源配置許容部は、切欠き部２５ｄに対応し、  
透視不可部材は、居住側背面扉４１と、トイレ側背面扉４２に対応し、  
光源は、ＬＥＤ照明５２に対応し、  
透光性可変ガラスは、居住側正面扉３１０と、トイレ側正面扉３２０と、側板５００に対応するも、  
この発明は、上述の実施形態の構成のみに限定されるものではなく、請求項に示される技術思想に基づいて応用することができ、多くの実施の形態を得ることができる。
【０１０４】
上述したケース本体２０の天板２２を、透明な強化ガラスで構成してもよく、居住スペースＳ１やトイレスペースＳ２に収容されたペットを、ペット用展示ケース１０の正面、側面、上面の３方向から視認させることできるため、視認可能な範囲を広くすることができる。  
また、実施形態の正面扉３０は、居住側正面扉３１とトイレ側正面扉３２との２枚扉で構成しているが、１枚扉で構成してもよい。
【符号の説明】
【０１０５】
Ｓ…収容スペース
Ｓ１…居住スペース
Ｓ２…トイレスペース
１０…ペット用展示ケース
２０…ケース本体
２１ａ…上側受け溝
２２ａ…下側受け溝
２５…仕切りパネル
２５ａ…開口部
２５ｂ…開閉扉
２５ｄ…切欠き部
２６Ａ…居住側正面開口部
２６Ｂ…トイレ側正面開口部
２７Ａ…居住側背面開口部
２７Ｂ…トイレ側背面開口部
３０…正面扉
３１，３１０…居住側正面扉
３２，３２０…トイレ側正面扉
４０…背面扉
４１…居住側背面扉
４２…トイレ側背面扉
５０，５００…側板
５２…ＬＥＤ照明
５３…人感知センサー
５４…制御部
【図１】
2014036743.tif 000003
【図２】
2014036743.tif 000004
【図３】
2014036743.tif 000005
【図４】
2014036743.tif 000006
【図５】
2014036743.tif 000007
【図６】
2014036743.tif 000008
【図７】
2014036743.tif 000009
【図８】
2014036743.tif 000010